(57)【要約】【課題】処理動作に悪影響を与えることなく短い時間で無線送受信機能部予備カードへの切り替えを行えるようにする。【解決手段】制御機能部カード４で、各無線送受信機能部カード５と並列的に無線送受信機能部予備カード６に対しても制御データを設定し、切替要因が発生した場合は、その切替要因が発生した無線送受信機能部カード５のセクタを示すセクタ情報を含む切替指示を無線送受信機能部予備カード６へ送信し、無線送受信機能部予備カード６で、そのセクタに対応する制御データのみを有効として、待機状態から運用状態へ移行し、当該セクタ内に存在する移動機との無線通信を開始する。【選択図】        図１
2004260267.tif 000002
【特許請求の範囲】
【請求項１】
無線エリア内の各セクタに対応して設けられ、当該セクタに存在する移動機と無線通信を行う無線送受信機能部カードと、これら無線送受信機能部カードに対して前記移動機との無線通信に必要な制御データを設定する制御機能部カードとを有する無線基地局装置であって、
運用中の前記無線送受信機能部カードでの切替要因発生に応じて、当該無線送受信機能部カードに代わって当該セクタ内に存在する移動機と無線通信を行う無線送受信機能部予備カードを備え、
前記制御機能部カードは、前記無線送受信機能部カードへ前記制御データを設定する際、前記無線送受信機能部予備カードに対し並行して当該制御データを設定し、前記切替要因が発生した場合は、その切替要因が発生した無線送受信機能部カードのセクタを示すセクタ情報を含む切替指示を前記無線送受信機能部予備カードへ送信し、
前記無線送受信機能部予備カードは、前記制御機能部カードから設定された制御データをその制御データに含まれているセクタ情報のセクタと対応させて管理し、前記制御機能部カードから切替指示があった場合は、管理する前記制御データのうち、前記切替指示に含まれるセクタ情報のセクタと対応する制御データを用いて、当該セクタ内に存在する移動機との無線通信を開始することを特徴とする無線基地局装置。
【請求項２】
無線エリア内の各セクタに対応して設けられ、当該セクタに存在する移動機と無線通信を行う無線送受信機能部カードと、これら無線送受信機能部カードに対して無線通信に必要な前記移動機に関する制御データを設定する制御機能部カードと、運用中の前記無線送受信機能部カードでの切替要因発生に応じて、当該無線送受信機能部カードに代わって当該セクタ内に存在する移動機と無線通信を行う無線送受信機能部予備カードとを有する無線基地局装置の制御方法であって、
前記制御機能部カードで、前記無線送受信機能部カードへ前記制御データを設定する際、前記無線送受信機能部予備カードに対し並行して当該制御データを設定し、前記切替要因が発生した場合は、その切替要因が発生した無線送受信機能部カードのセクタを示すセクタ情報を含む切替指示を前記無線送受信機能部予備カードへ送信するステップと、
前記無線送受信機能部予備カードで、前記制御機能部カードから設定された制御データをその制御データに含まれているセクタ情報のセクタと対応させて管理し、前記制御機能部カードから切替指示があった場合は、管理する前記制御データのうち、前記切替指示に含まれるセクタ情報のセクタと対応する制御データを用いて、当該セクタ内に存在する移動機との無線通信を開始するステップとを有することを特徴とする無線基地局装置の制御方法。
【発明の詳細な説明】
【０００１】
【発明の属する技術分野】
本発明は、無線基地局装置およびその制御方法に関し、特に切替要因の発生に応じて運用中の無線送受信機能部カードを予備カードへ切り替える復旧制御を行う無線基地局装置およびその制御方法に関するものである。
【０００２】
【従来の技術】
一般に、移動通信システムで用いられる無線基地局装置では、当該装置で担当する無線エリアを複数のセクタに分割して、そのセクタごとに無線送受信機能部カードを設け、これら無線送受信機能部カードでそれぞれのセクタ内に存在する各移動機と無線通信を行うものとなっている。
この種の無線基地局装置では、移動機との無線通信の継続を目的として、無線送受信機能部カードの予備を無線基地局装置内に準備しておき、故障などにより運用中の無線送受信機能部カードに切替要因が発生した場合には、予備の無線送受信機能部カードへ切り替えるものとなっていた（例えば、特許文献１など参照）。
【０００３】
このような無線基地局装置では、図４に示すように、制御機能部カード１４において、定常的な呼受付処理を行い、運用中の無線送受信機能部カード１５へ処理対象移動機に関する制御データを設定して、その無線送受信機能部カード１５で移動機との無線通信を行っている（ステップ２００）。
このとき、運用中の無線送受信機能部カード１５で故障などにより切替要因が発生した場合（ステップ２０１）、無線送受信機能部カード１５の状態情報に基づき制御機能部カード１４でこれを検出し、その無線送受信機能部カード１５を無線送受信機能部予備カード１６へ切り替えるため、無線送受信機能部カード１５で処理していたセクタ内の各移動機との無線通信に必要な制御データを、無線送受信機能部予備カード１６へそれぞれ再設定処理し（ステップ２０２）、無線送受信機能部予備カード１６を待機状態から運用状態へ移行させて運用を開始するものとなっていた（ステップ２０３）。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開２００１−１９６９７６号公報
【０００６】
【発明が解決しようとする課題】
しかしながら、このような従来の無線基地局装置では、切替要因の発生した無線送受信機能部カードから予備へ切り替える処理に時間を要し、当該無線基地局装置全体の処理動作に悪影響を与えるという問題点があった。
すなわち、予備カードへの切り替えの際、運用中のどの無線送受信機能部カードが予備カードへ切り替えられるかは予め決まっているものではないため、運用できなくなった時点で、その無線送受信機能部カードの運用セクタの情報、およびそのセクタに存在する各移動機に関する制御データを予備カードに再設定する必要がある。
【０００７】
そのため、制御機能部カードでは、切替要因の発生に応じてその予備カードへの制御データの再設定処理を行いながら、上位装置からの制御の受付、および無線基地局装置内での定常動作を実行する必要がある。
したがって、切替の際、過渡的に制御機能部カードの処理負担が増加し、定常動作あるいは上位装置からの制御に対してレスポンスが悪くなるといった、装置としてのパフォーマンスが低下した状態に陥る。
【０００８】
また、予備カードの再設定処理では、そのセクタ内に存在する各移動機ごとに制御データの再設定を行う必要があり、最後に設定される移動機については、無線基地局装置とその移動機との間で通信断となっている時間が最も長くなり、上位プロトコルにより呼切断が発生する恐れがある。
本発明はこのような課題を解決するためのものであり、当該装置での処理動作に悪影響を与えることなく短い時間で無線送受信機能部予備カードへの切り替えを行うことができる無線基地局装置およびその制御方法を提供することを目的としている。
【０００９】
【課題を解決するための手段】
このような目的を達成するために、本発明にかかる無線基地局装置は、無線エリア内の各セクタに対応して設けられ、当該セクタに存在する移動機と無線通信を行う無線送受信機能部カードと、これら無線送受信機能部カードに対して移動機との無線通信に必要な制御データを設定する制御機能部カードとを有する無線基地局装置であって、運用中の無線送受信機能部カードでの切替要因発生に応じて、当該無線送受信機能部カードに代わって当該セクタ内に存在する移動機と無線通信を行う無線送受信機能部予備カードを備え、制御機能部カードで、無線送受信機能部カードへ制御データを設定する際、無線送受信機能部予備カードに対し並行して当該制御データを設定し、切替要因が発生した場合は、その切替要因が発生した無線送受信機能部カードのセクタを示すセクタ情報を含む切替指示を無線送受信機能部予備カードへ送信し、無線送受信機能部予備カードで、制御機能部カードから設定された制御データをその制御データに含まれているセクタ情報のセクタと対応させて管理し、制御機能部カードから切替指示があった場合は、管理する制御データのうち、切替指示に含まれるセクタ情報のセクタと対応する制御データを用いて、当該セクタ内に存在する移動機との無線通信を開始するようにしたものである。
【００１０】
また、本発明にかかる無線基地局装置の制御方法は、無線エリア内の各セクタに対応して設けられ、当該セクタに存在する移動機と無線通信を行う無線送受信機能部カードと、これら無線送受信機能部カードに対して無線通信に必要な移動機に関する制御データを設定する制御機能部カードと、運用中の無線送受信機能部カードでの切替要因発生に応じて、当該無線送受信機能部カードに代わって当該セクタ内に存在する移動機と無線通信を行う無線送受信機能部予備カードとを有する無線基地局装置の制御方法であって、制御機能部カードで、無線送受信機能部カードへ制御データを設定する際、無線送受信機能部予備カードに対し並行して当該制御データを設定し、切替要因が発生した場合は、その切替要因が発生した無線送受信機能部カードのセクタを示すセクタ情報を含む切替指示を無線送受信機能部予備カードへ送信するステップと、無線送受信機能部予備カードで、制御機能部カードから設定された制御データをその制御データに含まれているセクタ情報のセクタと対応させて管理し、制御機能部カードから切替指示があった場合は、管理する制御データのうち、切替指示に含まれるセクタ情報のセクタと対応する制御データを用いて、当該セクタ内に存在する移動機との無線通信を開始するステップとを実行するようにしたものである。
【００１１】
【発明の実施の形態】
次に、本発明の実施の形態について図面を参照して説明する。
まず、図１を参照して、本発明の一実施の形態にかかる無線基地局装置について説明する。図１は本発明の一実施の形態にかかる無線基地局装置の構成を示すブロック図である。
この無線基地局装置３は、有線回線２を介して交換機などの上位装置１に接続されているとともに、無線回線７を介して当該無線基地局装置の無線エリア内に存在する各移動機との無線通信を行う装置である。
【００１２】
無線基地局装置３には、制御機能部カード４、無線送受信機能部カード５、および無線送受信機能部予備カード６が設けられている。
これら各カードの回路部品は、カード状の印刷配線基板に実装されてユニット化されており、コネクタ（図示せず）を介してバスＢへ挿抜自在に接続されている。
【００１３】
無線送受信機能部カード５は、当該無線基地局装置の無線エリアを予め分割して設けた各セクタごとに設けられ、それぞれのセクタ内に存在する移動機８と無線回線７を介して無線通信を行う機能部である。
無線送受信機能部予備カード６は、無線送受信機能部カード５と同様の機能部であり、無線送受信機能部カード５のいずれかで故障などによる切替要因が発生した場合、その無線送受信機能部カード５での処理動作を代行する。
【００１４】
制御機能部カード４は、無線基地局装置３全体を制御する機能部であり、定常時の動作として、有線回線２を介して上位装置１から受信した指示や、各無線送受信機能部カード５を介して移動機８から受信した要求に応じて、各無線送受信機能部カード５を制御することにより呼制御を行う。また、復旧処理として、無線送受信機能部カード５のいずれかで故障などによる切替要因が発生した場合、その無線送受信機能部カード５から無線送受信機能部予備カード６への切替制御を行う。
【００１５】
図２は、無線送受信機能部予備カードの構成例を示すブロック図である。
この無線送受信機能部予備カード６には、制御部６０、データ管理部６１、および無線処理部６２が設けられている。
制御部６０は、制御機能部カード４からのデータ設定に応じて、その制御データをデータ管理部６１へ格納する機能部であり、制御機能部カード４からの切替指示に応じて、指定されたセクタの制御データを用いた運用開始をデータ管理部６１および無線処理部６２へ指示する。
【００１６】
データ管理部６１は、制御部６０からの制御データを受け取り、その制御データに含まれるセクタ情報が示すセクタごとに対応させて各制御データを管理する機能部であり、制御部からの運用開始指示に応じて、指定されたセクタに対応する制御データのみを有効とする。
無線処理部６２は、制御部６０からの運用開始指示に応じて、データ管理部６１で管理している制御データのうち、有効とされた制御データを用いて、指定されたセクタ内に存在する移動機と無線通信を行う機能部である。
【００１７】
次に、図３を参照して、本実施の形態にかかる無線基地局装置の動作として、無線送受信機能部カードの切替動作について説明する。図３は無線送受信機能部カードの切替動作を示すシーケンス図である。
まず、制御機能部カード４では、定常時の処理動作において、運用している無線送受信機能部カード５へ当該セクタ内に存在する移動機のユーザに関する制御データを設定する場合、その無線送受信機能部カード５へ設定した制御データを無線送受信機能部予備カード６へも並行して設定しておく（ステップ１００）。
【００１８】
これにより、無線送受信機能部予備カード６には、各セクタに対応する無線送受信機能部カード５の制御データがすべて設定されることになる（ステップ１０１）。
無線送受信機能部予備カード６では、制御部６０で制御機能部カード４からのデータ設定を順次受け付けてデータ管理部６１へ格納し、データ管理部６１でその制御データに含まれるセクタ情報が示すセクタごとに各制御データが管理される。
【００１９】
このとき、制御機能部カード４から各無線送受信機能部カード５へ送信される制御データが、定常的に無線送受信機能部予備カード６へも送信されるようバスＢを構成することにより、制御機能部カード４での制御データの送信にかかる処理負担を軽減できる。
なお、各無線送受信機能部カード５と同等の制御データを無線送受信機能部予備カード６へ並行して設定しても、無線送受信機能部予備カード６を、実際の運用状態にしない限り、当該無線基地局装置の動作には影響ない。
【００２０】
そして、運用中の無線送受信機能部カード５で故障などにより切替要因が発生した場合（ステップ１０２）、これに応じて制御機能部カード４は、復旧処理として、無線送受信機能部予備カード６へ待機状態から運用状態への切替指示を送信する（ステップ１０３）。
この際、制御機能部カード４は、切替要因が発生した無線送受信機能部カード５に対応するセクタを示すセクタ情報を無線送受信機能部予備カード６へ通知する。
【００２１】
これに応じて、無線送受信機能部予備カード６では、制御機能部カード４から通知されたセクタの制御データを用いた運用開始をデータ管理部６１および無線処理部６２へ指示して、待機状態から運用状態へ移行する。
これにより、データ管理部６１では、当該セクタに対応する制御データのみを有効とし（ステップ１０４）、その有効とした制御データを用いて、無線処理部６２で当該セクタに存在する移動機との無線通信を開始する（ステップ１０５）。
【００２２】
このように、本発明は、制御機能部カードで、無線送受信機能部カードと並列的に無線送受信機能部予備カードに対しても制御データを設定し、切替要因が発生した場合は、その切替要因が発生した無線送受信機能部カードのセクタを示すセクタ情報を含む切替指示を無線送受信機能部予備カードへ送信するようにしたので、無線送受信機能部予備カードで、そのセクタに対応する制御データを有効として待機状態から運用状態へ移行し、当該セクタ内に存在する移動機との無線通信が開始される。
したがって、従来のように、無線送受信機能部予備カードに対する制御データの設定を切替時に行う必要がなくなり、極めて短い時間で無線送受信機能部予備カードへの切り替えを行うことができ、当該装置の処理動作への悪影響を回避できる。
【００２３】
なお、以上では、無線基地局装置３に、無線送受信機能部カード５が２つ設けられ、無線送受信機能部予備カード６が１つ設けられている場合を例として説明したが、これに限定されるものではなく、無線送受信機能部カード５が３つ以上設けられている場合、さらには無線送受信機能部予備カード６が複数設けられている場合でも、前述と同様にして本発明を適用でき、同様の作用効果が得られる。
【００２４】
【発明の効果】
以上説明したように、本発明は、制御機能部カードで、無線送受信機能部カードと並行して無線送受信機能部予備カードに対しても制御データを設定し、切替要因が発生した場合は、その切替要因が発生した無線送受信機能部カードのセクタを示すセクタ情報を含む切替指示を無線送受信機能部予備カードへ送信するようにしたので、無線送受信機能部予備カードで、そのセクタに対応する制御データを有効として待機状態から運用状態へ移行することにより、その制御データを用いて当該セクタ内に存在する移動機との無線通信を開始できる。
したがって、従来のように、無線送受信機能部予備カードに対する制御データの設定を切替時に行う必要がなくなり、極めて短い時間で無線送受信機能部予備カードへの切り替えを行うことができ、当該装置の処理動作への悪影響を回避できる。
【図面の簡単な説明】
【図１】本発明の一実施の形態にかかる無線基地局装置の構成を示すブロック図である。
【図２】無線送受信機能部予備カードの構成例である。
【図３】無線送受信機能部カードの切替動作を示すシーケンス図である。
【図４】従来の無線送受信機能部カードの切替動作を示すシーケンス図である。
【符号の説明】
１…上位装置、２…有線回線、３…無線基地局装置、４…制御機能部カード、５…無線送受信機能部カード、６…無線送受信機能部予備カード、６０…制御部、６１…データ管理部、６２…無線処理部、７…無線回線、８…移動機。
【図１】
2004260267.tif 000003
【図２】
2004260267.tif 000004
【図３】
2004260267.tif 000005
【図４】
2004260267.tif 000006